(57)【特許請求の範囲】
【請求項１】
複数のアクセスポイントと通信を行うリモコンが配置される複数の部屋が設置された環境における通信システムであって、
前記複数のアクセスポイントの電波の強度を示す強度情報を取得する第１取得手段と、
前記アクセスポイントを識別する第１識別情報と、前記複数の部屋を識別する第２識別情報とであって、前記第１識別情報が示す前記アクセスポイントが担当する部屋の前記第２識別情報を、前記第２識別情報が示す部屋を担当するアクセスポイントの前記第１識別情報と対応付けて取得する第２取得手段と、
前記複数の部屋の使用状況を示す状況情報を取得する第３取得手段と、
前記第１取得手段により取得された前記強度情報が所定の強度より強い第１アクセスポイント、または、前記第１取得手段により取得された前記強度情報が最も強い第２アクセスポイントを、前記リモコンが接続する候補として決定する第１決定手段と、
前記第２取得手段により取得された前記第１識別情報及び前記第２識別情報と、前記第３取得手段により取得された前記状況情報とに基づいて、前記第１アクセスポイントまたは前記第２アクセスポイントが担当する部屋の使用状況が所定以上であるか否かを判定する判定手段と、
前記判定手段により使用状況が所定以上であると判定された場合、前記第１アクセスポイントまたは前記第２アクセスポイントの次に前記強度情報が強い第３アクセスポイントを決定する第２決定手段と、
前記第１アクセスポイントまたは前記第２アクセスポイントが担当する部屋の使用状況が所定以上でない場合、前記第１アクセスポイントまたは前記第２アクセスポイントへ接続する接続手段と、
を備えることを特徴とする通信システム。
【請求項２】
前記第２決定手段により、前記第３アクセスポイントが決定された場合、前記判定手段は、前記第２取得手段により取得された前記第１識別情報及び前記第２識別情報と、前記第３取得手段により取得された前記状況情報とに基づいて、前記第３アクセスポイントが担当する部屋の使用状況が所定以上であるか否かを判定し、
前記第２決定手段により決定された前記第３アクセスポイントが担当する部屋の使用状況が所定以上でない場合、前記接続手段は、前記第３アクセスポイントへ接続することを特徴とする請求項１に記載の通信システム。
【請求項３】
前記第３アクセスポイントが担当する部屋の使用状況が所定以上であると判定された場合、前記第２決定手段は、前記第３アクセスポイントの次に前記強度情報が強い第４アクセスポイントを決定することを特徴とする請求項２に記載の通信システム。
【請求項４】
前記第１決定手段は、前記第１取得手段により取得された前記強度情報が最も強い第２アクセスポイントを、前記リモコンが接続する候補として決定することを特徴とする請求項１から請求項３のいずれか一項に記載の通信システム。
【請求項５】
複数のアクセスポイントと通信を行うリモコンが配置される複数の部屋が設置された環境における通信システムの前記リモコンであって、
前記複数のアクセスポイントの電波の強度を示す強度情報を取得する第１取得手段と、
前記アクセスポイントを識別する第１識別情報と、前記複数の部屋を識別する第２識別情報とであって、前記第１識別情報と、前記第１識別情報が示す前記アクセスポイントが担当する部屋の前記第２識別情報と、を対応付けて取得する第２取得手段と、
前記複数の部屋の使用状況を示す状況情報を取得する第３取得手段と、
前記第１取得手段により取得された前記強度情報が所定の強度より強い第１アクセスポイント、または、前記第１取得手段により取得された前記強度情報が最も強い第２アクセスポイントを、前記リモコンが接続する候補として決定する第１決定手段と、
前記第２取得手段により取得された前記第１識別情報及び前記第２識別情報と、前記第３取得手段により取得された前記状況情報とに基づいて、前記第１アクセスポイントまたは前記第２アクセスポイントが担当する部屋の使用状況が所定以上であるか否かを判定する判定手段と、
前記判定手段により使用状況が所定以上であると判定された場合、前記第１アクセスポイントまたは前記第２アクセスポイントの次に前記強度情報が強い第３アクセスポイントを決定する第２決定手段と、
前記第１アクセスポイントまたは前記第２アクセスポイントが担当する部屋の使用状況が所定以上でない場合、前記第１アクセスポイントまたは前記第２アクセスポインへ接続する接続手段と、
を備えることを特徴とするリモコン。
【請求項６】
前記第２決定手段により、前記第３アクセスポイントが決定された場合、前記判定手段は、前記第２取得手段により取得された前記第１識別情報及び前記第２識別情報と、前記第３取得手段により取得された前記状況情報とに基づいて、前記第３アクセスポイントが担当する部屋の使用状況が所定値以上であるか否かを判定し、
前記第２決定手段により決定された前記第３アクセスポイントが担当する部屋の使用状況が所定値以上でない場合、前記接続手段は、前記第３アクセスポイントへ接続することを特徴とする請求項５に記載のリモコン。
【請求項７】
前記第３アクセスポイントが担当する部屋の使用状況が所定以上であると判定された場合、前記第２決定手段は、前記第３アクセスポイントの次に前記強度情報が強い第４アクセスポイントを、前記第１決定手段に決定させることを特徴とする請求項６に記載のリモコン。
【請求項８】
前記第１決定手段は、前記第１取得手段により取得された前記強度情報が最も強い第２アクセスポイントを、前記リモコンが接続する候補として決定することを特徴とする請求項５から請求項７のいずれか一項に記載のリモコン。
【請求項９】
複数のアクセスポイントと通信を行うリモコンが配置される複数の部屋が設置された環境における通信システムにおける通信方法であって、
前記複数のアクセスポイントの電波の強度を示す強度情報を、前記リモコンが取得する第１取得ステップと、
前記アクセスポイントを識別する第１識別情報と、前記複数の部屋を識別する第２識別情報とであって、前記第１識別情報と、前記第１識別情報が示す前記アクセスポイントが担当する部屋の前記第２識別情報と、を対応付けて、前記リモコンが取得する第２取得ステップと、
前記複数の部屋の使用状況を示す状況情報を、前記リモコンが取得する第３取得ステップと、
前記第１取得ステップにより取得された前記強度情報が所定の強度より強い第１アクセスポイント、または、前記第１取得ステップにより取得された前記強度情報が最も強い第２アクセスポイントを、前記リモコンが接続する候補として、前記リモコンが決定する第１決定ステップと、
前記第２取得ステップにより取得された前記第１識別情報及び前記第２識別情報と、前記第３取得ステップにより取得された前記状況情報とに基づいて、前記第１アクセスポイントまたは前記第２アクセスポイントが担当する部屋の使用状況が所定以上であるか否かを、前記リモコンが判定する判定ステップと、
前記判定ステップにより使用状況が所定以上であると判定された場合、前記第１アクセスポイントまたは前記第２アクセスポイントの次に前記強度情報が強い第３アクセスポイントを、前記リモコンが決定する第２決定ステップと、
前記第１アクセスポイントまたは前記第２アクセスポイントが担当する部屋の使用状況が所定以上でない場合、前記第１アクセスポイントまたは前記第２アクセスポインへ、前記リモコンが接続する接続ステップと、
を備えることを特徴とする通信方法。
【請求項１０】
複数のアクセスポイントと通信を行うリモコンが配置される複数の部屋が設置された環境における通信システムの前記リモコンのコンピュータに実行させるプログラムであって、
前記複数のアクセスポイントの電波の強度を示す強度情報を取得する第１取得ステップと、
前記アクセスポイントを識別する第１識別情報と、前記複数の部屋を識別する第２識別情報とであって、前記第１識別情報と、前記第１識別情報が示す前記アクセスポイントが担当する部屋の前記第２識別情報と、を対応付けて取得する第２取得ステップと、
前記複数の部屋の使用状況を示す状況情報を取得する第３取得ステップと、
前記第１取得ステップにより取得された前記強度情報が所定の強度より強い第１アクセスポイント、または、前記第１取得ステップにより取得された前記強度情報が最も強い第２アクセスポイントを、前記リモコンが接続する候補として決定する第１決定ステップと、
前記第２取得ステップにより取得された前記第１識別情報及び前記第２識別情報と、前記第３取得ステップにより取得された前記状況情報とに基づいて、前記第１アクセスポイントまたは前記第２アクセスポイントが担当する部屋の使用状況が所定以上であるか否かを判定する判定ステップと、
前記判定ステップにより使用状況が所定以上であると判定された場合、前記第１アクセスポイントまたは前記第２アクセスポイントの次に前記強度情報が強い第３アクセスポイントを決定する第２決定ステップと、
前記第１アクセスポイントまたは前記第２アクセスポイントが担当する部屋の使用状況が所定以上でない場合、前記第１アクセスポイントまたは前記第２アクセスポインへ接続する接続ステップと、
を実行させるプログラム。
【発明の詳細な説明】
【技術分野】
【０００１】
本発明は、通信システムに関する。具体的には、通信システムとして、カラオケシステムを構成するコマンダに対して、操作指示を送信するリモコン装置に関する。
【背景技術】
【０００２】
従来、コマンダとリモコンから構成されるカラオケシステムが知られている。コマンダに操作指示を送るためにリモコンが操作される。コマンダはリモコンからの操作指示を受信すると、受信した操作指示に従って、所定の操作を実行する。一般的にリモコンはネットワークからデータを送受信するために、無線ＬＡＮを用いてネットワークに接続されている。カラオケシステムが設置される店舗には、無線ＬＡＮで接続するためのＡＰ（Ａｃｃｅｓｓ  Ｐｏｉｎｔ）が複数設置されている。カラオケシステムでは、特定のＡＰにアクセスが集中してしまうと、アクセスが集中しているＡＰに接続する端末へのデータ通信が遅れることがある。また、一般に特定のＡＰに対して接続される端末数が偏ると、複数端末が同時に通信することで待たされたり、混信によって切断やリトライが発生したりして通信が遅れてしまう。これを回避するために、特許文献１には、設置された複数のAP同士で、各ＡＰに接続されている端末装置の数を送受信する技術が開示されている。具体的には、設置された複数のＡＰに接続する端末に均等に通信帯域を割り当てる技術が開示されている。
【先行技術文献】
【特許文献】
【０００３】
【特許文献１】特開２０１０−１１４５６２号公報
【発明の開示】
【発明が解決しようとする課題】
【０００４】
特許文献１に記載の技術を通信システム、特にカラオケシステムに適用した場合、複数のＡＰ同士で、各ＡＰに接続する端末装置の数を送受信するため、ＡＰ間で過度にメッセージを送受信する必要がある。このため、ＡＰ間で上記メッセージが頻繁に送受信されることで、カラオケシステムで用いるネットワーク負荷が大きくなり、カラオケ通信を阻害する恐れがあった。
【０００５】
本発明は、以上のことを鑑みてなされたものである。本発明の目的は、通信システムで用いるネットワーク負荷が大きくなることを避けるとともに、リモコンへのデータ通信が遅れることや、ＡＰへの再接続が発生してしまうことを低減できる通信システムを提供することである。
【課題を解決するための手段】
【０００６】
請求項１に記載の発明によれば、複数のアクセスポイントと通信を行うリモコンが配置される複数の部屋が設置された環境における通信システムであって、前記複数のアクセスポイントの電波の強度を示す強度情報を取得する第１取得手段と、前記アクセスポイントを識別する第１識別情報と、前記複数の部屋を識別する第２識別情報とであって、前記第１識別情報が示す前記アクセスポイントが担当する前記通信機器の前記第２識別情報を、前記第２識別情報が示す前記通信機器を担当するアクセスポイントの前記第１識別情報と対応付けて取得する第２取得手段と、前記複数の部屋の使用状況を示す状況情報を取得する第３取得手段と、前記第１取得手段により取得された前記強度情報が所定の強度より強い第１アクセスポイント、または、前記第１取得手段により取得された前記強度情報が最も強い第２アクセスポイントを、前記リモコンが接続する候補として決定する第１決定手段と、前記第２取得手段により取得された前記第１識別情報及び前記第２識別情報と、前記第３取得手段により取得された前記状況情報とに基づいて、前記第１アクセスポイントまたは前記第２アクセスポイントが担当する部屋の使用状況が所定以上であるか否かを判定する判定手段と、前記判定手段により使用状況が所定以上であると判定された場合、前記第１アクセスポイントまたは前記第２アクセスポイントの次に前記強度情報が強い第３アクセスポイントを決定する第２決定手段と、前記第１アクセスポイントまたは前記第２アクセスポイントが担当する部屋の使用状況が所定以上でない場合、前記第１アクセスポイントまたは前記第２アクセスポイントへ接続する接続手段と、を備えることを特徴とする通信システムである。
【０００７】
請求項２に記載の発明によれば、前記第２決定手段により、前記第３アクセスポイントが決定された場合、前記判定手段は、前記第２取得手段により取得された前記第１識別情報及び前記第２識別情報と、前記第３取得手段により取得された前記状況情報とに基づいて、前記第３アクセスポイントが担当する部屋の使用状況が所定以上であるか否かを判定し、前記第２決定手段により決定された前記第３アクセスポイントが担当する部屋の使用状況が所定以上でない場合、前記接続手段は、前記第３アクセスポイントへ接続することを特徴とする。
【０００８】
請求項３に記載の発明によれば、前記第３アクセスポイントが担当する部屋の使用状況が所定以上であると判定された場合、前記制御手段は、前記第３アクセスポイントの次に前記強度情報が強い第４アクセスポイントを、前記第１決定手段に決定させることを特徴とする。
【０００９】
請求項４に記載の発明によれば、前記第１決定手段は、前記第１取得手段により取得された前記強度情報が最も強い第２アクセスポイントを、前記リモコンが接続する候補として決定することを特徴とする。
【００１０】
請求項５に記載の発明によれば、複数のアクセスポイントと通信を行うリモコンが配置される複数の部屋が設置された環境における通信システムの前記リモコンであって、前記複数のアクセスポイントの電波の強度を示す強度情報を取得する第１取得手段と、前記アクセスポイントを識別する第１識別情報と、前記複数の部屋を識別する第２識別情報とであって、前記第１識別情報と、前記第１識別情報が示す前記アクセスポイントが担当する部屋の前記第２識別情報と、を対応付けて取得する第２取得手段と、前記複数の部屋の使用状況を示す状況情報を取得する第３取得手段と、前記第１取得手段により取得された前記強度情報が所定の強度より強い第１アクセスポイント、または、前記第１取得手段により取得された前記強度情報が最も強い第２アクセスポイントを、前記リモコンが接続する候補として決定する第１決定手段と、前記第２取得手段により取得された前記第１識別情報及び前記第２識別情報と、前記第３取得手段により取得された前記状況情報とに基づいて、前記第１アクセスポイントまたは前記第２アクセスポイントが担当する部屋の使用状況が所定以上であるか否かを判定する判定手段と、前記判定手段により使用状況が所定以上であると判定された場合、前記第１アクセスポイントまたは前記第２アクセスポイントの次に前記強度情報が強い第３アクセスポイントを決定する第２決定手段と、前記第１アクセスポイントまたは前記第２アクセスポイントが担当する部屋の使用状況が所定以上でない場合、前記第１アクセスポイントまたは前記第２アクセスポインへ接続する接続手段と、を備えることを特徴とするリモコンである。
【００１１】
請求項６に記載の発明によれば、前記第２決定手段により、前記第３アクセスポイントが決定された場合、前記判定手段は、前記第２取得手段により取得された前記第１識別情報及び前記第２識別情報と、前記第３取得手段により取得された前記状況情報とに基づいて、前記第３アクセスポイントが担当する部屋の使用状況が所定値以上であるか否かを判定し、前記第２決定手段により決定された前記第３アクセスポイントが担当する部屋の使用状況が所定値以上でない場合、前記接続手段は、前記第３アクセスポイントへ接続することを特徴とする。
【００１２】
請求項７に記載の発明によれば、前記第３アクセスポイントが担当する部屋の使用状況が所定以上であると判定された場合、前記制御手段は、前記第３アクセスポイントの次に前記強度情報が強い第４アクセスポイントを、前記第１決定手段に決定させることを特徴とする。
【００１３】
請求項８に記載の発明によれば、前記第１決定手段は、前記第１取得手段により取得された前記強度情報が最も強い第２アクセスポイントを、前記リモコンが接続する候補として決定することを特徴とする。
【００１４】
請求項９に記載の発明によれば、複数のアクセスポイントと通信を行うリモコンが配置される複数の部屋が設置された環境における通信システムにおける通信方法であって、前記複数のアクセスポイントの電波の強度を示す強度情報を、前記リモコンが取得する第１取得ステップと、前記アクセスポイントを識別する第１識別情報と、前記複数の部屋を識別する第２識別情報とであって、前記第１識別情報と、前記第１識別情報が示す前記アクセスポイントが担当する部屋の前記第２識別情報と、を対応付けて、前記リモコンが取得する第２取得ステップと、前記複数の部屋の使用状況を示す状況情報を、前記リモコンが取得する第３取得ステップと、前記第１取得ステップにより取得された前記強度情報が所定の強度より強い第１アクセスポイント、または、前記第１取得ステップにより取得された前記強度情報が最も強い第２アクセスポイントを、前記リモコンが接続する候補として、前記リモコンが決定する第１決定ステップと、前記第２取得ステップにより取得された前記第１識別情報及び前記第２識別情報と、前記第３取得ステップにより取得された前記状況情報とに基づいて、前記第１アクセスポイントまたは前記第２アクセスポイントが担当する部屋の使用状況が所定以上であるか否かを、前記リモコンが判定する判定ステップと、前記判定ステップにより使用状況が所定以上であると判定された場合、前記第１アクセスポイントまたは前記第２アクセスポイントの次に前記強度情報が強い第３アクセスポイントを、前記リモコンが決定する第２決定ステップと、前記第１アクセスポイントまたは前記第２アクセスポイントが担当する部屋の使用状況が所定以上でない場合、前記第１アクセスポイントまたは前記第２アクセスポインへ、前記リモコンが接続する接続ステップと、を備えることを特徴とする通信方法である。
【００１５】
請求項１０に記載の発明によれば、複数のアクセスポイントと通信を行うリモコンが配置される複数の部屋が設置された環境における通信システムの前記リモコンのコンピュータに実行させるプログラムであって、前記複数のアクセスポイントの電波の強度を示す強度情報を取得する第１取得ステップと、前記アクセスポイントを識別する第１識別情報と、前記複数の部屋を識別する第２識別情報とであって、前記第１識別情報と、前記第１識別情報が示す前記アクセスポイントが担当する部屋の前記第２識別情報と、を対応付けて取得する第２取得ステップと、前記複数の部屋の使用状況を示す状況情報を取得する第３取得ステップと、前記第１取得ステップにより取得された前記強度情報が所定の強度より強い第１アクセスポイント、または、前記第１取得ステップにより取得された前記強度情報が最も強い第２アクセスポイントを、前記リモコンが接続する候補として決定する第１決定ステップと、前記第２取得ステップにより取得された前記第１識別情報及び前記第２識別情報と、前記第３取得ステップにより取得された前記状況情報とに基づいて、前記第１アクセスポイントまたは前記第２アクセスポイントが担当する部屋の使用状況が所定以上であるか否かを判定する判定ステップと、前記判定ステップにより使用状況が所定以上であると判定された場合、前記第１アクセスポイントまたは前記第２アクセスポイントの次に前記強度情報が強い第３アクセスポイントを決定する第２決定ステップと、前記第１アクセスポイントまたは前記第２アクセスポイントが担当する部屋の使用状況が所定以上でない場合、前記第１アクセスポイントまたは前記第２アクセスポインへ接続する接続ステップと、を実行させるプログラムである。
【発明の効果】
【００１６】
請求項１または請求項５に記載の発明によれば、判定手段は、第２取得手段により取得された第１識別情報及び第２識別情報と、第３取得手段により取得された状況情報とに基づいて、第１アクセスポイントまたは第２アクセスポイントが担当する部屋の使用状況が所定以上であるか否かを判定する。第２決定手段は、判定手段により使用状況が所定以上であると判定された場合、第１アクセスポイントまたは第２アクセスポイントの次に強度情報が強い第３アクセスポイントを決定する。従って、部屋の使用状況に基づいて、電波強度の強いアクセスポイントを決定することができるため、通信システムで用いるネットワーク負荷が大きくなることを避けるとともに、リモコンへのデータ通信が遅れることや、アクセスポイントへの再接続が発生してしまうことを低減できる。
【００１７】
請求項２または請求項６に記載の発明によれば、第２決定手段により、第３アクセスポイントが決定された場合、判定手段は、第２取得手段により取得された第１識別情報及び第２識別情報と、第３取得手段により取得された状況情報とに基づいて、第３アクセスポイントが担当する部屋の使用状況が所定以上であるか否かを判定する。第２決定手段により決定された第３アクセスポイントが担当する部屋の使用状況が所定以上でない場合、接続手段は、第３アクセスポイントへ接続する。第３アクセスポイントが決定された場合であっても、第３アクセスポイントが担当する部屋の使用状況が混んでいる場合がある。この場合であっても、部屋の使用状況が所定以下の場合に第３アクセスポイントへ接続するため、混んでいるアクセスポイントへの接続を避けることができる。
【００１８】
請求項３または請求項７に記載の発明によれば、第３アクセスポイントが担当する部屋の使用状況が所定以上であると判定された場合、第２決定手段は、第３アクセスポイントの次に強度情報が強い第４アクセスポイントを決定する。この結果、再度決定された第３アクセスポイントが担当する部屋の使用状況が所定以上の場合であっても、混んでいるアクセスポイントの接続を避けて、電波強度の強いアクセスポイントから順番に、再帰的に、接続するアクセスポイントを決定することができる。
【００１９】
請求項４または請求項８に記載の発明によれば、第１決定手段は、第１取得手段により取得された強度情報が最も強い第２アクセスポイントを、リモコンが接続する候補として決定する。従って、部屋の使用状況に基づいて、電波強度の最も強いアクセスポイントを決定することができるため、通信システムで用いるネットワーク負荷が大きくなることを避けるとともに、リモコンへのデータ通信が遅れることや、アクセスポイントへの再接続が発生してしまうことを低減できる。
【００２０】
請求項９または請求項１０に記載の発明によれば、判定ステップは、第２取得ステップにより取得された第１識別情報及び第２識別情報と、第３取得ステップにより取得された状況情報とに基づいて、第１アクセスポイントまたは第２アクセスポイントが担当する部屋の使用状況が所定以上であるか否かを判定する。第２決定ステップは、判定ステップにより使用状況が所定以上であると判定された場合、第１アクセスポイントまたは第２アクセスポイントの次に強度情報が強い第３アクセスポイントを決定する。従って、部屋の使用状況に基づいて、電波強度の強いアクセスポイントを決定することができるため、通信システムで用いるネットワーク負荷が大きくなることを避けるとともに、リモコンへのデータ通信が遅れることや、アクセスポイントへの再接続が発生してしまうことを低減できる。
【図面の簡単な説明】
【００２１】
【図１】本実施形態の楽曲再生システムの概要構成図と、コマンダ１ナビ２の電気的構成を示す概念図である。
【図２】本実施形態のカラオケ店舗におけるコマンダ１及びナビ２の配置例を示す配置図である。
【図３】（ａ）ナビ２の周辺に設定されたＡＰから取得される電波強度を示す電波強度情報を電波強度情報記憶領域５６３に記憶した記憶状態を示す概念図である。           （ｂ）本実施形態の使用状況情報が、使用状況情報記憶領域５６１に記憶された記憶状態を示す概念図である。
【図４】（ａ）本実施形態の各ＡＰが担当する担当部屋情報が、担当部屋情報記憶領域５６２に記憶された記憶状態を示す概念図である。           （ｂ）本実施形態の他の例における各ＡＰが担当する担当部屋情報が、担当部屋情報記憶領域５６２に記憶された記憶状態を示す概念図である。
【図５】本実施形態のナビ２のメイン動作を示すフローチャートである。
【図６】本実施形態のナビ２のＡＰ再接続処理を示すフローチャートである。
【発明を実施するための最良の形態】
【００２２】
［最良の実施形態］
以下、図面に沿って、本発明を適用した最良の実施形態について説明する。
【００２３】
［楽曲再生システムの概要構成］
図１は、本実施形態の楽曲再生システムの概要構成を説明する説明図である。図１に示すように、楽曲再生システムは、コマンダ１と、ナビ２とから構成される。ナビ２は、赤外線によりコマンダ１に指令を送るカラオケの装置である。本実施形態の楽曲再生システムは、本発明の通信システムの一例である。また、本実施形態のコマンダ１は、本発明の通信機器の一例である。また、本実施形態のナビ２は、本発明のリモコンの一例である。
【００２４】
［コマンダ１の概要構成］
図１に示すように、コマンダ１は、制御部１２と、ＬＡＮインターフェース部１４と、記憶部１６と、操作処理部２２と、シンセサイザ２４と、ビデオＲＡＭ３２と、映像再生部３４と、映像制御部３８とを備える。
【００２５】
制御部１２は、ＬＡＮインターフェース部１４と、記憶部１６と、操作処理部２２と、シンセサイザ２４と、ビデオＲＡＭ３２と、映像再生部３４と、映像制御部３８と電気的に接続される。制御部１２は、コマンダ１の各種構成を制御する。制御部１２は、例えば、ＣＰＵ及びＲＡＭ等から構成されるコントローラである。
【００２６】
ＬＡＮインターフェース部１４は、コマンダ１とＬＡＮ１００と接続する。ＬＡＮインターフェース部１４により、コマンダ１は、ルータ１２０またはアクセスポイント１１０を介してインターネット及びナビ２と通信可能になる。
【００２７】
操作処理部２２は、操作部１８と、赤外線受信部２０と電気的に接続される。操作部１８は、コマンダ１のユーザにより操作される。操作部１８により操作され、入力された信号が操作処理部２２に出力される。また、赤外線受信部２０は、ナビ２により送信された赤外線を受信する。受信された赤外線の信号は、操作処理部２２に出力される。操作処理部２２は、出力された夫々の信号にも基づいて、操作内容を決定する。決定された操作内容に基づいて、制御部１２は、コマンダ１を制御する。
【００２８】
記憶部１６は、コマンダ１で出力する楽曲データ及び映像データを記憶する。記憶部１６は、例えば、ＨａｒｄＤｉｓｋ（ＨＤ）等の高容量の記憶媒体である。操作処理部２２により決定された操作内容に基づいて、記憶部１６に記憶された楽曲データまたは映像データが制御部１２により読み出される。そして、記憶部１６に記憶された映像データに従って、制御部１２は、ビデオＲＡＭ３２または映像再生部３４または映像制御部３８に、映像を出力させる指令を送信する。
【００２９】
図１に示すように、制御部１２は、ビデオＲＡＭ３２と映像再生部３４と、映像制御部３８とに電気的に接続される。また、映像制御部３８は、表示部３６と電気的に接続される。ビデオＲＡＭ３２は、読み出された映像データを一時記憶する。制御部１２により出力される指令に従って、映像再生部３４は、ビデオＲＡＭ３２に一時記憶された映像データを、表示部に出力させる信号に変換する。変換された信号は、映像制御部３８に送信される。制御部１２により送信された指令に従って、映像制御部３８は、表示部３６に映像を表示させる指令を送信する。映像制御部３８は、映像再生部により送信された信号に基づいて、表示部３６に所定の映像を表示させる。表示部３６は、例えば、ディスプレイである。
【００３０】
また、記憶部１６に記憶された楽曲データに従って、制御部１２は楽曲データを出力させる指令を、シンセサイザ２４に送信する。そして、制御部１２により送信された指令に従って、シンセサイザ２４は、楽曲データに基づいて音信号を生成する。音信号は、ミキシングアンプ３０を介してスピーカ２８により音を出力させるための信号である。図１に示すように、シンセサイザ２４は、ミキシングアンプ３０と電気的に接続される。また、ミキシングアンプ３０は、マイク制御部２６とスピーカ２８とに電気的に接続される。
【００３１】
マイク制御部２６は、図示しないマイクと接続される。マイクにより入力された情報に基づいて、マイク制御部２６は、音声信号を生成する。マイク制御部２６は、生成された音声信号をミキシングアンプ３０に出力する。マイク制御部２６により送信された音声信号またはシンセサイザ２４により送信された音信号に基づいて、ミキシングアンプ３０は、マイクにより入力された音声または楽曲データの音をスピーカ２８により出力させる。マイク制御部２８により送信された音声信号とシンセサイザ２４により送信された音信号との両方が、ミキシングアンプ３０に送信された場合、ミキシングアンプ３０は、マイクにより入力された音声と楽曲データの音とを合成してスピーカ２８により出力させる。
【００３２】
［ナビ２の概要構成］
図１に示すように、ナビ２は、制御部５２と、赤外線送信部５４と、メモリ５６と、操作処理部６２と、ビデオＲＡＭと、映像制御部６６と、無線ＬＡＮ通信部６８とを備える。制御部５２は、赤外線送信部５４と、メモリ５６と、操作処理部６２と、ビデオＲＡＭと、映像制御部６６と、無線ＬＡＮ通信部６８と電気的に接続される。制御部５２は、ナビ２の各種構成を制御する。制御部５２は、例えば、ＣＰＵ及びＲＡＭ等から構成されるコントローラである。
【００３３】
操作処理部６２は、操作部６０と電気的に接続される。操作部６０は、ナビ２のユーザにより操作される。操作部６０は、例えば、タッチパネルである。タッチパネルにより入力された位置情報が操作処理部２２に出力される。操作処理部６２は、入力された位置情報に基づいて操作内容を決定する。決定された操作内容が、制御部５２に出力される。
【００３４】
赤外線送信部５４は、コマンダ１に向けて赤外線を送信する。具体的には、操作処理部２２により決定された操作内容が、赤外線送信部５４によりコマンダ１に向けて送信される。ナビ２の操作部６０がユーザにより操作されることで、所定の操作信号が、ナビ２からコマンダ１に送信される。例えば、ナビ２を操作することで、カラオケの楽曲が予約される。そのため、ナビ２から、予約されたカラオケの楽曲を示す操作信号がコマンダ１に送信される。コマンダ１は、操作信号を受信すると、操作信号が含む楽曲を予約楽曲として制御部１２のＲＡＭ等に一時記憶する。
【００３５】
メモリ５６は、検索データ及び映像データを記憶する。また、メモリ５６は、使用状況情報記憶領域５６１と、担当部屋情報記憶領域５６２と、電波強度情報記憶領域５６３と、プログラム記憶領域５６４とを含む。使用状況情報記憶領域５６１は、後述する使用状況情報を記憶する。また、担当部屋情報記憶領域５６２は、後述する担当部屋情報を記憶する。電波強度情報記憶領域５６３は、後述する電波強度情報を記憶する。プログラム記憶領域５６４は、ナビ２のメイン動作処理プログラムを記憶する。メイン動作処理プログラムは、ナビ２に後述するメイン動作処理を実行させるプログラムである。なお、ナビ２のメイン動作処理プログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００３６】
メモリ５６は、例えば、不揮発性のＮＡＮＤ型のメモリである。検索データは、楽曲再生システムで配信される楽曲データを検索する情報である。検索データは、例えば、カラオケの電子早見本である。また、メモリ５６に記憶される映像データは、表示部５８により映像を表示させるための情報である。操作処理部６２により決定された操作内容に基づいて、メモリ５６に記憶された映像データが制御部５２により読み出される。そして、メモリ５６に記憶された映像データに従って、制御部５２は、ビデオＲＡＭ６４または映像制御部６６に、映像を出力させる指令を送信する。図１に示すように、制御部５２は、ビデオＲＡＭ６４と映像制御部６６とに電気的に接続される。また、映像制御部６６は、表示部５８と電気的に接続される。ビデオＲＡＭ６４は、読み出された映像データを一時記憶する。制御部５２により出力される指令に従って、映像制御部６６は、ビデオＲＡＭ６４に一時記憶された映像データを、表示部に出力させる信号に変換する。映像制御部６６は、変換した信号を表示部５８表示させる指令を送信する。映像制御部６６は、変換した信号に基づいて、表示部５８に所定の映像を表示させる。表示部５８は、例えば、ディスプレイである。
【００３７】
無線ＬＡＮ通信部６８は、各カラオケ店舗等に設置されたアクセスポイント１１０に接続される。無線ＬＡＮ通信部６８は、例えば、公知の無線チップである。アクセスポイント１１０は、例えば、無線ＬＡＮである。また、アクセスポイント１１０は、ルータ１２０を介してＷＡＮ等のインターネットと接続可能である。また、ナビ２は、アクセスポイント１１０を介して、カラオケ店舗内のＬＡＮ１００に接続される。これにより、ナビ２は、ＬＡＮ１００に接続されたコマンダ１に情報を送受信可能となる。
【００３８】
図２は、本実施形態のカラオケ店舗８０におけるコマンダ１及びナビ２の配置例を示す配置図である。一般的にコマンダ１とナビ２とは、図２に示すように、カラオケ店舗８０が備える各部屋（ルーム１〜ルーム８）に設定される。図２に示す例では、１つのカラオケ店舗８０に、カラオケを行う部屋として、ルーム１からルーム８の８個の部屋が設置されている。ルーム１からルーム８の各部屋には、コマンダ１とナビ２とが夫々設置されている。また、図２に示すように、カラオケ店舗８０内には、アクセスポイント１１０ａ及びアクセスポイント１１０ｂが設置されている。特に図２の例では、アクセスポイント１１０ａ及びアクセスポイント１１０ｂが２箇所に設置されている例である。
【００３９】
本実施形態では、基本的にナビ２は電源がオンにされると、通信可能なアクセスポイントから電波強度を取得する。図２に示す例では、カラオケ店舗８０に設置されたアクセスポイント１１０ａ及びアクセスポイント１１０ｂから、各部屋に設置されたナビ２は、電波強度を取得する。本実施形態では、基本的に各ナビ２は、電波強度が最も強いＡＰに接続することになる。しかしながら、この方法の場合、ＡＰの電波強度が最も強いＡＰであっても、電波強度が最も強いＡＰに接続するナビ２の数が多い、または、電波強度が最も強いＡＰに対して接続するナビ２が偏ると、複数台のナビ２が同時に通信することが原因で、所定のナビ２が通信可能になるまで待たされる問題や、混信によって切断やリトライが発生する恐れがある。これらの理由により、ナビ２の通信が遅れてしまう。また、複数のＡＰ同士で、各ＡＰに接続するナビ２の数を送受信することで、ＡＰに接続するナビ２の数を制御する方法が考えられる。しかしながら、各ＡＰ間で過度にメッセージを送受信する必要がある。このため、ＡＰ間でメッセージが頻繁に送受信されることで、カラオケシステムで用いるネットワーク負荷が大きくなり、カラオケ通信を阻害する恐れがある。これらの理由のため、本実施形態では、カラオケの各部屋（ルーム１〜ルーム８）の使用状況に応じて、ナビ２が接続するＡＰが変更される。
【００４０】
［ＡＰ決定方法］
以下、図２、図３及び図４を参照して、本実施形態のナビ２のＡＰ決定方法を説明する。本実施形態では、ナビ２の電源がオンにされると、ナビ２の周辺に設置されたＡＰから電波強度が取得される。図３（ａ）は、ナビ２の周辺に設定されたＡＰから取得される電波強度を示す電波強度情報を電波強度情報記憶領域５６３に記憶した記憶状態を示す概念図である。図３（ａ）は、ナビ２がアクセスポイント１１０ａ及びアクセスポイント１１０ｂから電波強度を取得した例である。電波強度情報記憶領域５６３は、電波強度情報として、取得したアクセスポイントと電波強度とを対応付けて記憶する。図３（ａ）に示す例では、電波強度として、各アクセスポイントのＲＳＳＩの値が用いられる。その他、電波強度示す情報であれば良い。本実施形態では、まず、ナビ２は、取得された電波強度が最も強いＡＰに接続する。そして、最も電波強度が強かったＡＰを識別する識別情報が、制御部５２のＲＡＭに一時記憶される。本実施形態の電波強度情報記憶領域５６３は、本発明の第１取得手段の一例である。  図３（ａ）の例では、アクセスポイントを識別する「１１０ａ」及び「１１０ｂ」が、本発明の第１識別情報の一例である。また、図３（ａ）に示す電波強度が、本発明の強度情報の一例である。
【００４１】
その後、ネットワークに接続された管理装置から、カラオケ店舗８０の各部屋の使用状況を示す使用状況情報が取得される。なお、本実施形態の管理装置は、図示していない。管理装置は、カラオケ店舗８０の使用状況を管理する装置である。例えば、カラオケ店舗８０の受け付けの人が、カラオケ店舗８０の部屋の使用状況を、使用状況情報として入力する。入力された使用状況情報が管理装置に記憶される。管理装置に記憶された使用状況情報が、ナビ２により取得される。取得された使用状況情報が、使用状況情報記憶領域５６１に記憶される。これにより、各ナビ２は、ナビ２が設置されたカラオケ店舗８０の部屋の使用状況を把握することができる。図３（ｂ）は、本実施形態の使用状況情報が、使用状況情報記憶領域５６１に記憶された記憶状態を示す概念図である。図３（ｂ）に示すように、カラオケ店舗８０に設置された各部屋（ルーム１〜、ルーム８）と、その部屋の使用状況が対応付けられて使用状況情報として、ナビ２が管理装置から取得する。ナビ２により取得された使用状況情報が、使用状況情報記憶領域５６１に記憶される。図３（ｂ）に示す「使用中」は、部屋が使用者により使用中であることを示す。図３（ｂ）に示す例では、ルーム１、ルーム４、ルーム５、ルーム７及びルーム８が、使用中である。また、図３（ｂ）に示す「空き」は、部屋が使用者により使用されておらず、空いていることを示す。図３（ｂ）に示す例では、ルーム２、ルーム３及びルーム６が、空いていることを示している。本実施形態の使用状況情報記憶領域５６１は、本発明の第３取得手段の一例である。また、本実施形態の使用状況情報が、本発明の状況情報の一例である。
【００４２】
次に、ナビ２は、各ＡＰが担当する担当部屋情報を、管理装置から取得する。取得された担当部屋情報は、担当部屋情報記憶領域５６２に記憶される。図４（ａ）は、本実施形態の各ＡＰが担当する担当部屋情報が、担当部屋情報記憶領域５６２に記憶された記憶状態を示す概念図である。カラオケ店舗８０の管理者は、カラオケ店舗８０に設置された各ＡＰ１１０が担当する部屋を設定する。図４（ａ）に示す例では、アクセスポイント１１０ａの担当する部屋として、ルーム１、ルーム２、ルーム５及びルーム６が設定されている。また、図４（ａ）に示す例では、アクセスポイント１１０ｂの担当する部屋として、ルーム３、ルーム４、ルーム７及びルーム８が設定されている。本実施形態に示す図４（ａ）では、カラオケ店舗８０の管理者が、カラオケ店舗８０に設置されたＡＰの位置に物理的に近い部屋を、ＡＰの担当する部屋として決定している。本実施形態では、カラオケ店舗８０の管理者により手動で、担当部屋情報が設定されていたが、自動で決定されても良い。この場合、図２に示す各部屋（ルーム１〜ルーム８）が、各カラオケ店舗８０に設置された位置を示す部屋位置情報と、各カラオケ店舗８０に設置されたＡＰの位置を示すＡＰ位置情報とが用いられる。そして、部屋位置情報とＡＰ位置情報とにより、各部屋に最も近いＡＰが、その部屋を担当するＡＰとして自動で決定される。
【００４３】
図４（ａ）は、各アクセスポイントが担当する部屋が、担当部屋情報として設定された例である。図４（ａ）の変形例として、各アクセスポイントが担当するコマンダが、担当する部屋の替わりに用いられても良い。図４（ｂ）は、本実施形態の他の例における各ＡＰが担当する担当部屋情報が、担当部屋情報記憶領域５６２に記憶された記憶状態を示す概念図である。図４（ｂ）に示す例では、担当部屋情報として、各アクセスポイントと、各アクセスポイントが担当するコマンダ識別情報とが対応付けられている。図４（ｂ）に示す例では、各アクセスポイントが担当する部屋の代わりに、部屋に設置されたコマンダを識別するコマンダ識別情報が、各アクセスポイントと対応付けて記憶される。また、各コマンダが設置された部屋と、その部屋に設置されたコマンダを示すコマンダ識別情報とが対応付けて記憶される。図４（ｂ）に示す担当部屋情報と、使用状況情報とに基づいて、ＡＰの使用率が決定されても良い。
【００４４】
また、図３（ｂ）に示す使用状況情報の代わりに、各部屋に設置されたコマンダの使用状況が、使用状況情報として用いられても良い。この場合、各部屋を識別する情報と、その部屋に設定されたコマンダのコマンダ識別情報とが対応付けて、ナビ２のメモリ５６に記憶されることになる。カラオケ店舗８０の管理者は、各部屋に設置されたコマンダが使用中であるか否かを示す情報を設定することになる。そして、ナビ２は、ネットワークを介して設定された情報を取得することになる。これにより、コマンダの使用状況に基づいて、ナビ２は、各部屋の使用状況を把握することができる。本実施形態の担当部屋情報記憶領域５６２は、本発明の第２取得手段の一例である。
【００４５】
そして、各ナビ２は、ナビ２が通信可能な最も電波強度が強いＡＰが担当する担当部屋情報を決定する。具体的には、取得された担当部屋情報の中から、ナビ２は、ナビ２が通信可能な電強度が最も強いＡＰに対応する部屋を決定する。そして、取得された使用状況情報に基づいて、ナビ２は、決定された部屋の使用状況を参照する。参照した結果、決定された部屋の使用率が、所定値以上であった場合、ナビ２は、最も電波強度が強いＡＰの次に電波強度の強いＡＰを、接続先候補として決定する。一方、参照した結果、決定された部屋の使用率が、所定値以上であったと判定されなかった場合、ナビ２は、最も電波強度が強いＡＰに接続する。
【００４６】
この場合、決定された部屋の使用率は、担当部屋情報の中で「使用中」である部屋の数を、担当部屋情報の数で割った値である。なお、本実施形態では、使用率を用いたが、使用率以外が用いられても良い。例えば、担当部屋情報の中で「使用中」である部屋の数が、所定数より多いか否かが判定されても良い。
【００４７】
そして、再度、接続先候補として決定されたＡＰが担当する担当部屋情報が決定される。取得された使用状況情報に基づいて、決定された担当部屋情報の使用状況が参照される。参照した結果、決定された部屋の使用率が、所定値以上であった場合、ナビ２は、接続先候補として決定されたＡＰの次に電波強度の強いＡＰを、接続先候補として決定する。一方、参照した結果、決定された部屋の使用率が、所定値以上であったと判定されなかった場合、ナビ２は、接続先候補のＡＰに接続する。この処理が繰り返し実行されることで、楽曲再生システムで用いるネットワーク負荷が大きくなることを避けるとともに、ナビ２へのデータ通信が遅れることや、ＡＰへの再接続が発生してしまうことを低減できる。
【００４８】
［メイン動作］
以上説明した構成からなる本実施形態のナビ２の動作及び作用について、添付図面を参照して説明する。まず、ナビ２のメイン動作及び作用について、添付図面を参照して説明する。図５は、ナビ２におけるメイン動作の処理手順を示すフローチャートである。ナビ２のメイン動作は、電源またはコンセントを介して商用電源などの外部電源とナビ２とが接続されたことにより、遂行される。以下に示す処理は、制御部５２により処理される。
【００４９】
ステップＳ１０１では、制御部５２及び無線ＬＡＮ通信部６８により、ＡＰの電波強度が取得される。ステップＳ１０１の処理により電波強度を取得することで、ナビ２は接続可能なＡＰの個数を把握することができる。取得した電波強度は、制御部５２のＲＡＭに一時記憶される。本実施形態のステップＳ１０１は、本発明の第１取得ステップの一例である。
【００５０】
ステップＳ１０２では、制御部５２は、ステップＳ１０１で１つ以上の電波強度が取得できたか否かが判定される。具体的には、ステップＳ１０１でＲＡＭに一時記憶した電波強度が１つ以上あったか否かが判定される。ステップＳ１０１で１つ以上の電波強度が取得できたと判定された場合、（ステップＳ１０２：ＹＥＳ）、ステップＳ１０３が実行される。ステップＳ１０１で１つ以上の電波強度が取得できたと判定されなかった場合、（ステップＳ１０２：ＮＯ）、ステップＳ１０１が繰り返し実行される。
【００５１】
ステップＳ１０３では、ステップＳ１０１で取得された電波強度の中から、もっとも強い電波強度のＡＰが決定される。そして、決定されたＡＰへ、ナビ２が接続される。
【００５２】
ステップＳ１０４では、管理装置から担当部屋情報が取得される。取得された担当部屋情報は、担当部屋情報記憶領域５６２に記憶される。本実施形態のステップＳ１０４は、本発明の第２取得ステップの一例である。
【００５３】
ステップＳ１０５では、使用状況情報の取得の要求が、管理装置へ送信される。なお、本実施形態では、ステップＳ１０５が実行された時間を示す時間情報が、制御部５２のＲＡＭに一時記憶される。制御部５２が備えるＣＰＵにより計時動作が実行されることで、時間が決定される。本実施形態のステップＳ１０５は、本発明の第３取得ステップの一例である。
【００５４】
ステップＳ１０６では、ステップＳ１０５で取得を要求してから所定の時間が経過したか否かが判定される。制御部５２のＣＰＵにより計時される現在の時間と、ＲＡＭに一時記憶された時間との差が所定以上経過したか否かが判定される。所定時間が経過したと判定された場合（ステップＳ１０６：ＹＥＳ）、ステップＳ１０７が実行される。所定時間が経過したと判定されなかった場合（ステップＳ１０６：ＮＯ）、ステップＳ１０８が実行される。
【００５５】
ステップＳ１０７では、最も電波強度の強いＡＰが決定される。決定されたＡＰに、ナビ２が接続される。これは、ステップＳ１０６で所定時間が経過しても、部屋の使用状況を示す使用状況情報が取得できなかったため、最も電波強度の強いＡＰへナビ２が接続されることになる。
【００５６】
ステップＳ１０８では、管理装置から使用状況情報が受信されたか否かが判定される。管理装置から使用状況情報が受信されたと判定された場合（ステップＳ１０８：ＹＥＳ）、ステップＳ１０９が実行される。管理装置から使用状況情報が受信されたと判定されなかった場合（ステップＳ１０８：ＮＯ）、ステップＳ１０６が再度実行される。
【００５７】
ステップＳ１０９では、ＡＰ再接続処理が実行される。ステップＳ１０９では、カラオケ店舗８０の部屋の使用状況と、ＡＰの電波強度とに基づいて、ナビ２が接続するＡＰが決定される。決定されたＡＰへ、ナビ２が接続される。
【００５８】
［ＡＰ再接続処理］
ここでは、ナビ２のＡＰ再接続処理動作及び作用について、添付図面を参照して説明する。図６は、ナビ２におけるＡＰ再接続処理の処理手順を示すフローチャートである。
【００５９】
ステップＳ２０１では、電波強度の最も強いＡＰが、接続先候補として決定される。決定された接続先候補は、制御部５２のＲＡＭに一時記憶される。ステップＳ２０１では、最も電波強度が強いＡＰの代わりに、電波強度が所定値以上であるＡＰが接続先候補として決定されても良い。本実施形態のステップ制御部５２とＳ２０１とは、本発明の第１決定手段の一例である。また、本実施形態のステップＳ２０１は、本発明の第１決定ステップの一例である。
【００６０】
ステップＳ２０２では、ステップＳ２０１で決定されたＡＰの担当の部屋が決定される。図２から図４を参照して、具体的に説明する。図２に示す例で、最も電波強度の強いＡＰとして、アクセスポイント１１０ａが決定されたとする。この場合、担当部屋情報記憶領域５６２に記憶された担当部屋情報に基づいて、アクセスポイント１１０ａが担当する部屋が決定される。図４に示すように、アクセスポイント１１０ａの担当の部屋として、ルーム１、ルーム２、ルーム５及びルーム６が決定される。
【００６１】
ステップＳ２０３では、ステップＳ２０２で決定された担当の部屋の使用状況が決定される。図２から図４を参照して、具体的説明する。ステップＳ２０２では、アクセスポイント１１０ａの担当の部屋として、ルーム１、ルーム２、ルーム５及びルーム６が決定された。次に、ステップＳ２０３では、使用状況情報記憶領域５６１に記憶された使用状況情報が参照される。ステップＳ２０２で決定されたルーム１、ルーム２、ルーム５及びルーム６の使用状況情報が参照される。図３に示す例では、使用状況情報に基づいて、ルーム１及びルーム５が「使用中」であると決定される。また、ルーム２及びルーム６が「空き」であると決定される。決定された部屋の使用状況に基づいて、部屋の使用率が決定される。この例では、アクセスポイント１１０ａの担当の部屋であるルーム１、ルーム２、ルーム５及びルーム６の４部屋の中で、ルーム１及びルーム５の２部屋が「使用中」である。このため、使用率は、２を４で割った値である「０．５」、つまり５０％と決定される。
【００６２】
ステップＳ２０４では、ステップＳ２０３で決定された部屋の使用率が所定値以上であるか否かが判定される。具体的に本実施形態では、ステップＳ２０４では、ステップＳ２０３で決定された部屋の使用率が８０％以上であるか否かが判定される。この８０％という値は、カラオケ店舗８０の管理者等によって任意に設定可能な値である。ステップＳ２０３で決定された部屋の使用率が８０％以上であると判定された場合（ステップＳ２０４：ＹＥＳ）、ステップＳ２０６が実行される。ステップＳ２０３で決定された部屋の使用率が８０％以上であると判定されなかった場合（ステップＳ２０４：ＮＯ）、ステップＳ２０５が実行される。本実施形態の制御部５２とステップＳ２０４とは、本発明の判定手段の一例である。また、本実施形態のステップＳ２０４は、本発明の判定ステップの一例である。
【００６３】
ステップＳ２０５では、接続先候補のＡＰへナビ２が接続される。これは、接続先候補として決定されたＡＰの使用率が低いと予想されるため、接続先候補のＡＰへナビ２が接続される。本実施形態の制御部５２とステップＳ２０５とは、本発明の接続手段の一例である。また、本実施形態のステップＳ２０５は、本発明の接続ステップの一例である。
【００６４】
ステップＳ２０６では、接続先候補として決定されたＡＰの次に電波強度が強いＡＰが検索される。ステップ１０１で取得された電波強度の中から、ステップＳ２０１またはステップＳ２０９で決定されたＡＰの次に電波強度の強いＡＰが検索される。
【００６５】
ステップＳ２０７では、ステップＳ２０６の検索の結果、ステップＳ２０１またはステップＳ２０９で決定されたＡＰの次に電波強度の強いＡＰがないか否かが判定される。ステップＳ２０１またはステップＳ２０９で決定されたＡＰの次に電波強度の強いＡＰがないと判定された場合（ステップＳ２０７：ＹＥＳ）、ステップＳ２１０が実行される。ステップＳ２０１またはステップＳ２０９で決定されたＡＰの次に電波強度の強いＡＰがないと判定されなかった場合（ステップＳ２０７：ＮＯ）、ステップＳ２０８が実行される。
【００６６】
ステップＳ２０８では、ステップＳ２０６の検索の結果、ステップＳ２０１またはステップＳ２０９で決定されたＡＰの次に電波強度の強いＡＰにおける電波強度が、閾値以下であるか否かが判定される。ステップＳ２０８で、電波強度が閾値以下であると判定された場合（ステップＳ２０８：ＹＥＳ）、ステップＳ２１０が実行される。ステップＳ２０８で、電波強度が閾値以下であると判定されなかった場合（ステップＳ２０８：ＮＯ）、ステップＳ２０９が実行される。
【００６７】
ステップＳ２０９では、ステップＳ２０６の検索の結果、ステップＳ２０１またはステップＳ２０９で決定されたＡＰの次に電波強度の強いＡＰが、接続先候補として決定される。決定された接続先候補のＡＰが、制御部５２のＲＡＭに一時記憶される。ステップＳ２０９が実行された後に、ステップＳ２０２が再度実行される。これは、ステップＳ２０８で電波強度が閾値以下のＡＰは、ＡＰの使用率が低かったとしても、そもそもの電波強度が弱いため、電波強度の最も強いＡＰにナビ２が接続した方が、通信効率が良いためである。本実施形態の制御部５２とステップＳ２０９とは、本発明の第２決定手段の一例である。また、本実施形態のステップＳ２０９は、本発明の第２決定ステップの一例である。
【００６８】
ステップＳ２１０では、ステップＳ１０３で接続された電波強度の最も強いＡＰへ、ナビ２が接続される。
【００６９】
本実施形態では、カラオケの通信システムに本発明を適用した例である。カラオケの通信システム以外に、本発明が適用されても良い。ナビとして機能するリモコンと、リモコンからの操作指令を受け取る通信機器とが設置された環境における通信システムであれば、本発明を適用可能である。また、本実施形態では、ステップＳ２０８で、電波強度が閾値以下であると判定された場合（ステップＳ２０８：ＹＥＳ）に、ステップＳ２０９が実行されていた。本実施形態の変形例として、ステップＳ２０８が実行されずに、ステップＳ２０７が実行された後に、ステップＳ２０９が実行されても良い。
【符号の説明】
【００７０】
１  コマンダ
２  ナビ
１２  制御部
１４  ＬＡＮインタフェース部
１６  記憶部
１８  操作部
２０  赤外線受信部
２２  操作処理部
２４  シンセサイザ
２６  マイク制御部
２８  スピーカ
３０  ミキシングアンプ
３２  ビデオＲＡＭ
３４  映像再生部
３６  表示部
３８  映像制御部
５２  制御部
５４  赤外線送信部
５６  メモリ
５８  表示部
６０  操作部
６２  操作処理部
６４  ビデオＲＡＭ
６６  映像制御部
６８  無線ＬＡＮ通信部
８０  カラオケ店舗
１００  ＬＡＮ
１１０  アクセスポイント
１１０ａ  アクセスポイント
１１０ｂ  アクセスポイント
１２０  ルータ
５６１  使用状況情報記憶領域
５６２  担当部屋情報記憶領域
【図１】
0005353940.tif 000002
【図２】
0005353940.tif 000003
【図３】
0005353940.tif 000004
【図４】
0005353940.tif 000005
【図５】
0005353940.tif 000006
【図６】
0005353940.tif 000007